(57)【要約】装身具（特に指輪）の快適性および有用性の増強のための新規な構造が、本明細書において記載され、特許請求される。この構造は、装身具の内側内に複数の隆起した表面を備える。この構造によって、血液循環の増加、空気の流れの増加、および洗浄の容易さ、ならびに快適性の増強が可能になる。種々の実施形態が、記載される。本出願はまた、装身具と着用者との間の境界面における空気の流れを増加させるための方法も、開示する。この方法は、装身具に、その装身具の内側表面内に複数の隆起した表面を設ける工程；を包含する。
2008501407.tif 000002
【特許請求の範囲】
【請求項１】
装身具であって、該装身具の内側表面内に複数の隆起した表面を備える、装身具。
【請求項２】
請求項１に記載する装身具であって、前記隆起した表面は、曲面である、装身具。
【請求項３】
請求項２に記載する装身具であって、前記曲面は、半球体である、装身具。
【請求項４】
請求項３に記載する装身具であって、前記曲面は、交差する半球体である、装身具。
【請求項５】
請求項２に記載する装身具であって、前記曲面は、半円筒体である、装身具。
【請求項６】
請求項５に記載する装身具であって、前記曲面は、交差する半円筒体である、装身具。
【請求項７】
請求項２に記載する装身具であって、前記曲面は、該装身具の周に対して垂直な複数の規則的に配置されたチャネルを規定する、装身具。
【請求項８】
請求項２に記載される装身具を取り外すための方法であって、該方法は、
ａ）請求項２に記載の装身具を提供する工程；
ｂ）該装身具の前記曲面の間に潤滑剤を提供する工程；および
ｃ）該装身具を取り外す工程；
を包含する、方法。
【請求項９】
請求項３に記載する装身具であって、前記曲面は、該装身具の内周の周りに環状に配置されている、装身具。
【請求項１０】
請求項９に記載する装身具であって、該装身具は、指輪、腕時計、および腕輪からなる群より選択される、装身具。
【請求項１１】
請求項１０に記載する装身具であって、該装身具は、指輪である、装身具。
【請求項１２】
装身具と着用者との間の境界面における空気の流れを増加させるための方法であって、
装身具に、該装身具の内側表面内に複数の隆起した表面を設ける工程；
を包含する、方法。
【発明の詳細な説明】
【技術分野】
【０００１】
（優先権の恩恵）
本願は、２００４年６月３日に出願された同時係属中の先行米国仮特許出願第６０／５７６，８６９号（発明の名称「Ｉｎｔｅｒｉｏｒ  ｆｏｒ  Ｊｅｗｅｌｒｙ  ａｎｄ  Ｊｅｗｅｌｒｙ  Ｉｎｃｏｒｐｏｒａｔｉｎｇ  ｔｈａｔ  Ｉｎｔｅｒｉｏｒ」）、２００４年６月２日に出願された同時係属中の先行米国仮特許出願第６０／５７６，４４３号（発明の名称「Ｃｏｍｆｏｒｔ  Ｉｎｔｅｒｉｏｒ  ｆｏｒ  Ｊｅｗｅｌｒｙ  Ｒｉｎｇ」）、２００４年７月３０日に出願された同時係属中の先行米国仮特許出願（発明の名称「Ｃｏｍｆｏｒｔ  Ｉｎｔｅｒｉｏｒ  ｆｏｒ  Ｊｅｗｅｌｒｙ  ａｎｄ  Ｊｅｗｅｌｒｙ  Ｉｎｃｌｕｄｉｎｇ  ｔｈａｔ  Ｉｎｔｅｒｉｏｒ」）（出願番号未定、代理人整理番号０４０３５２）、および２００４年６月２日に出願された同時係属中の先行米国意匠出願第２９／２０６，６３３号（発明の名称「Ｊｅｗｅｌｒｙ  Ｒｉｎｇ  Ｉｎｔｅｒｉｏｒ」）（すべての出願は、発明者として同じ出願人（すなわち、Ａｂｒａｈａｍ  Ｋａｐｌａｎ）を有する）の恩恵を主張する。これらの出願すべてが、本明細書において参考として完全に援用される。
【０００２】
（発明の分野）
本発明は、概して、装身具に関する。より具体的には、本発明は、例えば、指、足指、手首、または足首に装着され得かつ快適な特徴を提供する、装身具に関する。
【背景技術】
【０００３】
（発明の背景）
装着可能な個人装飾品は、世界中の文化において広く人気がある。そのような物品としては、例えば、腕時計、腕輪、および指輪が挙げられるが、これらに限定はされない。指輪とは、例えば、手の指および足指を装飾するために使用される、広汎に装着される装飾品である。指輪は、指にフィットするように種々に設計され得る。例えば、「レギュラーフィット（ｒｅｇｕｌａｒ  ｆｉｔ）」バンドは、平坦な内側を備える。Ｓｅｉｂｅｎｂｅｒｇに対する特許文献１は、その明細書中に記載されその図２において示されるような、曲線状の内側を備える「コンフォートフィット（ｃｏｍｆｏｒｔ  ｆｉｔ）」バンドを報告している。環状の円周状に並んだ溝を備える指輪の内側が、Ｇｅｆｅｎに対する特許文献２によって報告されている。
【０００４】
指輪および他の装身具を製造するための方法は、当業者にとって公知であり、その方法は、例えば、「Ｔｈｅ  ＡＪＭ  Ｇｕｉｄｅ  ｔｏ  Ｌｏｓｔ−Ｗａｘ  Ｃａｓｔｉｎｇ」，（ＭＪＳＡ／ＡＪＭ  Ｐｒｅｓｓ）；Ｍｕｌｏｃｋ，Ｊ．「Ｃａｓｔ−Ａ−Ｗａｙ：Ｔｈｅ  Ｃｏｍｐｌｅｔｅ  Ｌｏｓｔ  Ｗａｘ  Ｐｒｏｃｅｓｓ  ｆｏｒ  ｔｈｅ  Ａｍａｔｅｕｒ  ｏｒ  Ｐｒｏｆｅｓｓｉｏｎａｌ  Ｊｅｗｅｌｅｒ」；Ｒｏｍａｎｏｆｆ，Ｐ．「Ｔｈｅ  Ｃｏｍｐｌｅｔｅ  Ｈａｎｄｂｏｏｋ  ｏｆ  Ｃｅｎｔｒｉｆｕｇａｌ  Ｃａｓｔｉｎｇ」；およびＲｏｍａｎｏｆｆ，Ｐ．「Ｔｈｅ  Ａｒｔ  ａｎｄ  Ｓｃｉｅｎｃｅ  ｏｆ  Ｃｅｎｔｒｉｆｕｇａｌ  Ｃａｓｔｉｎｇ  Ｍｅｔａｌ」において示されている。
【０００５】
装身具における宝石、エナメル引き、彫刻および仕上げの技術の使用もまた、記載されている。宝石配置技術は、Ｗｏｏｄｉｎｇ，Ｒ．Ｒ．「Ｄｉａｍｏｎｄ  Ｓｅｔｔｉｎｇ  Ｍａｎｕａｌ：Ｐｒｏｃｅｄｕｒｅｓ  ａｎｄ  Ｔｅｃｈｎｉｑｕｅｓ」；Ｗｏｏｄｉｎｇ，Ｒ．Ｒ．「Ｄｉａｍｏｎｄ−Ｓｅｔｔｉｎｇ：Ｔｈｅ  Ｐｒｏｆｅｓｓｉｏｎａｌ  Ａｐｐｒｏａｃｈ」；Ｗｏｏｄｉｎｇ，Ｒ．Ｒ．「Ｂｅａｄ  Ｓｅｔｔｉｎｇ  Ｄｉａｍｏｎｄｓ  ｗｉｔｈ  Ｐａｖｅ  Ａｐｐｌｉｃａｔｉｏｎｓ」；およびＷｏｏｄｉｎｇ  Ｒ．Ｒ．「Ｃｈａｎｎｅｌ  Ｓｅｔｔｉｎｇ  Ｄｉａｍｏｎｄｓ  ｗｉｔｈ  Ｉｌｌｕｓｔｒａｔｅｄ  Ｐｒｏｃｅｄｕｒｅｓ」において記載されている。装身具の仕上げは、例えば、Ｈｏｃｈ「Ｔｕｍｂｌｅ  Ｆｉｎｉｓｈｉｎｇ  ｆｏｒ  Ｈａｎｄｍａｄｅ  Ｊｅｗｅｌｒｙ」において記載されている。宝石の彫刻は、例えば、Ｍｅｅｋ，Ｊ．Ｂ．「Ｔｈｅ  Ａｒｔ  ｏｆ  Ｅｎｇｒａｖｉｎｇ」において記載されている。電気メッキ技術および電気鋳造技術は、例えば、Ｒｉｏ  Ｇｒａｎｄｅにより作製された「Ｍｉｄａｓ（Ｒ）  Ｐｌａｔｉｎｇ  Ｇｕｉｄｅ」Ｔｈｉｒｄ  Ｅｄｉｔｉｏｎにおいて記載されている。エナメル引き技術は、例えば、ＭｃＧｒａｔｈ，Ｊ．「Ｆｉｒｓｔ  Ｓｔｅｐｓ  ｉｎ  Ｅｎａｍｅｌｉｎｇ」；Ｗｅｒｇｅ−Ｈａｒｔｌｅｙ，Ｊ．「Ｅｎａｍｅｌｌｉｎｇ  ｏｎ  Ｐｒｅｃｉｏｕｓ  Ｍｅｔａｌｓ」；Ｃｏｈｅｎ，Ｋ．Ｌ．「Ｔｈｅ  Ａｒｔ  ｏｆ  Ｆｉｎｅ  Ｅｎａｍｅｌｉｎｇ」；およびＭａｔｔｈｅｗｓ，Ｇ．Ｌ．「Ｅｎａｍｅｌｓ，Ｅｎａｍｅｌｉｎｇ，Ｅｎａｍｅｌｉｓｔｓ」において記載されている。装身具はまた、ＭｃＧｒａｔｈ，Ｊ．「Ｔｈｅ  Ｅｎｃｙｃｌｏｐｅｄｉａ  ｏｆ  Ｊｅｗｅｌｒｙ−Ｍａｋｉｎｇ  Ｔｅｃｈｎｉｑｕｅｓ：Ａ  Ｃｏｍｐｒｅｈｅｎｓｉｖｅ  Ｖｉｓｕａｌ  Ｇｕｉｄｅ  ｔｏ  Ｔｒａｄｉｔｉｏｎａｌ  ａｎｄ  Ｃｏｎｔｅｍｐｏｒａｔｙ  Ｔｅｃｈｎｉｑｕｅｓ」に考察されるような、ダイ打ち（ｄｉｅ−ｓｔｒｉｎｋｉｎｇ）またはスタンピングによって構築され得る。
【０００６】
指輪における確実なフィットが、その指輪の不慮の紛失を防ぐために、しばしば望ましい。好ましくは、その指輪のフィットは、装着者が不快感を感じるほどには締まってはいない。他の個人用装飾品は、種々のフィット特徴（指輪において望ましい確実なフィットと同様の確実なフィットを含む）をもたらすように設計され得る。例えば、腕輪または腕時計のバンドは、ぴったりした（ｓｎｕｇ）フィットまたはきつい（ｔｉｇｈｔ）フィットを有するように構築され得る。
【０００７】
きついフィットは、装身具において望ましいものであり得るが、そのようなフィットは、その装身具の使用の容易さに関連する問題を引き起こし得る。例えば、きつくフィットする指輪は、装着することまたは取り外すことが困難であり得る。例えば、一旦、足指または手首もしくは足首に取り付けた後は、きつくフィットする装身具はまた、装着者にとって快適ではないかもしれない。きつくフィットする装身具（例えば、上記の特許によって報告されるもの）の快適性を増加させるために以前に試みられた解決法は、完全に満足するレベルの快適性を提供しないかもしれない。
【０００８】
本明細書において言及されるすべての特許および文献は、その全体が本明細書において再度記載されたかのように、本明細書によって参考として援用される。
【特許文献１】米国特許第６，１６６，０５３号明細書
【特許文献２】米国特許第６，７０１，６１８号明細書
【発明の開示】
【課題を解決するための手段】
【０００９】
（発明の簡単な要旨）
以前の装身具によっては提供されない快適性の利益を提供する装身具を有することは、有利であり、これが、本発明の目的である。このような目標は、例えば、新規な装身具内側構造を使用して、装身具と装着者との間の摩擦を最小にすることによって、達成され得る。摩擦の最小化は、さらなる利益を提供し得る。これらの利益もまた、本発明の目的である。例えば、摩擦を最小にする指輪内側構造を備える指輪は、より容易に装着および取り外しがされ得る。本明細書および添付の図面に記載され特許請求の範囲において定義される発明の実施形態は、上記の目的のうちのいくつかまたはすべてを満足させ得る。
【００１０】
本発明は、装身具を包含し、この装身具は、その装身具の内側範囲内に複数の隆起した表面を備える。本発明の一局面において、上記複数の隆起した表面は、曲面であり得る。本発明のさらなる局面において、上記曲面は、半球体、交差する半球体、半円筒体、または交差する半円筒体であり得る。本発明のさらなる局面において、上記曲面は、該装身具の内周の周りに環状に配置されている。本発明の新規な内側を保有する装身具としては、指輪（ｒｉｎｇ）、腕時計（ｗａｔｃｈ）、または腕輪（ｂｒａｃｅｌｅｔ）が挙げられ得るが、これらに限定はされない。
【発明を実施するための最良の形態】
【００１１】
（発明の説明）
本発明の装身具は、個人の一部分（指、手首、または足首が挙げられるが、これらに限定はされない）との接触面積を最小にする新規な快適性特徴を備えるように設計される。接触面積は、環状に配置された複数の半球体、半円筒体、または他の構造を提供する、指輪の内側によって、最小にされる。これらの構造は、部分的に交差する半球体または部分的に交差する半円筒体を包含し得る。本発明の一局面において、上記の環状に配置された構造は、曲線状または部分的に曲線状である。本発明の別の局面において、上記環状に配置された構造のうちの少なくとも１つは、曲線状または部分的に曲線状である。
【００１２】
本発明のなお別の局面において、上記の複数の環状に配置された構造は、錐体であるか、または別の非曲線状幾何学形状を有する。上記の半球体、半円筒体、または他の形状は、上記指輪の周に対して垂直なチャネルを規定し得る。本発明の一局面において、装身具は、円周状に並んだ（ｃｉｒｃｕｍｆｅｒｅｎｔｉａｌ）複数の溝を提供するように配置された環状に配置された複数の構造列を備える。
【００１３】
本発明は、本発明の環状に配置された構造により規定されるチャネル中に潤滑剤を供給することによって、装身具（例えば、本発明の指輪）の取り外しを容易にするための方法を提供する。そのような方法は、上記装身具が指輪であり、かつその指輪を装着して以来、装着者の指のサイズが大きくなった場合に、特に望ましい。
【００１４】
本発明の一局面において、上記装身具は、剛性である。本発明の別の局面において、上記装身具は、柔軟である。本発明のなおさらなる局面において、上記装身具は、種々の剛性を有し得る。上記環状に配置された構造は、上記装身具の周において、規則的にかまたは不規則に配置され得る。
【００１５】
本発明の好ましい実施形態において、規則的に配置された複数の半球体が、使用される。さらに好ましい実施形態において、複数の半球体を備える上記装身具は、手の指用の指輪または足指用の指輪である。そのような実施形態において、装着者の指との接触は、半球体１つにつき１点に限定される。
【００１６】
本発明の装身具は、外側の装飾を備え得るが、装飾は、要求されない。例えば、一実施形態の外側は、１つ以上の宝石を備え得る（例えば、図１２および図１５において示される実施形態）か、または模様を付けられ得る。外側は、例えば、図９および図１０において示されるように、装飾なしであり得る。さらに、本発明のいくつかの実施形態は、宝石用設置構造、腕時計のムーブメント、複数の宝石、または他の装飾などが配置された結果、装身具の内側における快適性特徴のパターンがその設置構造、ムーブメント、装飾などによって遮断されている、指輪または他の装身具を包含し得ることが、認識される。本発明のそのような一局面において、例えば、本発明の快適性特徴の半球体または半円筒体のうちの１つ以上が、存在しない。
【００１７】
本発明の装身具は、１種の金属または主に１種の金属から構築され得、その金属は、元素金属（例えば、金、銀、白金、もしくはチタン）であるか、またはその金属は、合金である。使用される金属が純粋な金属である必要はないことを、当業者は認識する。装身具はまた、複数種の金属から、例えば、象嵌パターンによって構築され得る。本発明の一局面において、指輪の外周は、１種の金属から構築されるが、上記の環状に配置された複数の構造は、別の金属または別の複数の金属から構築される。本発明の装身具はまた、金属および別の材料（プラスチックまたはセラミックが挙げられるが、これらに限定はされない）を使用して構築され得る。
【００１８】
本発明の装身具は、多数の健康に良い効果を有する。例えば、本発明の指輪は、指とその指輪との間に存在し得る開放領域の結果として、その指輪の中と、その指輪および指の周囲とを通る空気の流れが増加する。より大量の大気ガスの供給が、従来の指輪によって完全に覆われ得るその指の表面部分にとって利用可能であり、これによって、その指の皮膚が「呼吸する」ことが可能である。
【００１９】
本発明の装身具の新規な構造は、以前の装身具により許容される循環と比較した場合に、増加した循環を提供するというさらなる利益を提供する。本発明の装身具のこの新規な特徴は、その装身具を装着する指の腫脹をも減少し得る。さらなる美的かつ衛生的な利点として、本発明の指輪の構造は、その指輪と装着者の指との間に一定量の水が通過するのを可能にし、これによって、指輪および装着者の両方から、より効率的に埃を除去することが可能である。本発明の指輪はまた、従来の指輪よりも容易に装着され得かつ取り外され得る。
【００２０】
本発明の実施形態は、その快適性特徴において、特定の数の半球体にも他の要素にも限定はされない。コンピューターが、多数の半球体または例えば、図６において示されるような快適性要素を計算するために、使用され得る。本発明の実施形態は、種々の装身具（指輪、腕輪、または腕時計バンドが挙げられるが、これらに限定はされない）を包含する。
【００２１】
本発明の装身具における隆起した表面の数、サイズ、および形状は、重要ではないが、装着者と少なくとも４つの接触点があることが、必要である。上記隆起した表面の数、形状、高さ、および間隔は、美的目的のために選択され得る。本発明の好ましい実施形態において、上記隆起した表面の数および形状は、その隆起した表面のサイズが均一であることを可能にするように、かつ上記装身具の内周に沿って均等に間隔を空けることを可能にするように、選択される。
【００２２】
本発明の特定の実施形態が本明細書中に記載されているが、本発明に対する種々の改変が本開示の教示全体を考慮して発展され得ることが、当業者によって認識される。従って、本明細書中に開示される特定の実施形態は、例示に過ぎないことが意図され、本発明の範囲を限定するものではないことが意図される。
【図面の簡単な説明】
【００２３】
本発明のより完全な理解は、添付の図面とともに上記説明を考慮することによって得られ得る。
【図１】図１、図３、図４、図７〜２９、図３１、図３３〜図３６、および図４２は、本発明の種々の実施形態の斜視図を示す。
【図２】図２および図６は、本発明の指輪実施形態の正面図を示す。
【図３】図１、図３、図４、図７〜２９、図３１、図３３〜図３６、および図４２は、本発明の種々の実施形態の斜視図を示す。
【図４】図１、図３、図４、図７〜２９、図３１、図３３〜図３６、および図４２は、本発明の種々の実施形態の斜視図を示す。
【図５】図５、図３０、および図４１は、本発明の実施形態の斜視断面図を示す。
【図６】図２および図６は、本発明の指輪実施形態の正面図を示す。図６は、本発明の一実施形態に含まれ得る本発明の多数の半球体または半円筒体の決定（必要に応じて、コンピューターを使用して実施する）の図を示す。
【図７】図１、図３、図４、図７〜２９、図３１、図３３〜図３６、および図４２は、本発明の種々の実施形態の斜視図を示す。
【図８】図１、図３、図４、図７〜２９、図３１、図３３〜図３６、および図４２は、本発明の種々の実施形態の斜視図を示す。
【図９】図１、図３、図４、図７〜２９、図３１、図３３〜図３６、および図４２は、本発明の種々の実施形態の斜視図を示す。
【図１０】図１、図３、図４、図７〜２９、図３１、図３３〜図３６、および図４２は、本発明の種々の実施形態の斜視図を示す。
【図１１】図１、図３、図４、図７〜２９、図３１、図３３〜図３６、および図４２は、本発明の種々の実施形態の斜視図を示す。
【図１２】図１、図３、図４、図７〜２９、図３１、図３３〜図３６、および図４２は、本発明の種々の実施形態の斜視図を示す。
【図１３】図１、図３、図４、図７〜２９、図３１、図３３〜図３６、および図４２は、本発明の種々の実施形態の斜視図を示す。
【図１４】図１、図３、図４、図７〜２９、図３１、図３３〜図３６、および図４２は、本発明の種々の実施形態の斜視図を示す。
【図１５】図１、図３、図４、図７〜２９、図３１、図３３〜図３６、および図４２は、本発明の種々の実施形態の斜視図を示す。
【図１６】図１、図３、図４、図７〜２９、図３１、図３３〜図３６、および図４２は、本発明の種々の実施形態の斜視図を示す。
【図１７】図１、図３、図４、図７〜２９、図３１、図３３〜図３６、および図４２は、本発明の種々の実施形態の斜視図を示す。
【図１８】図１、図３、図４、図７〜２９、図３１、図３３〜図３６、および図４２は、本発明の種々の実施形態の斜視図を示す。
【図１９】図１、図３、図４、図７〜２９、図３１、図３３〜図３６、および図４２は、本発明の種々の実施形態の斜視図を示す。
【図２０】図１、図３、図４、図７〜２９、図３１、図３３〜図３６、および図４２は、本発明の種々の実施形態の斜視図を示す。
【図２１】図１、図３、図４、図７〜２９、図３１、図３３〜図３６、および図４２は、本発明の種々の実施形態の斜視図を示す。
【図２２】図１、図３、図４、図７〜２９、図３１、図３３〜図３６、および図４２は、本発明の種々の実施形態の斜視図を示す。
【図２３】図１、図３、図４、図７〜２９、図３１、図３３〜図３６、および図４２は、本発明の種々の実施形態の斜視図を示す。
【図２４】図１、図３、図４、図７〜２９、図３１、図３３〜図３６、および図４２は、本発明の種々の実施形態の斜視図を示す。
【図２５】図１、図３、図４、図７〜２９、図３１、図３３〜図３６、および図４２は、本発明の種々の実施形態の斜視図を示す。
【図２６】図１、図３、図４、図７〜２９、図３１、図３３〜図３６、および図４２は、本発明の種々の実施形態の斜視図を示す。
【図２７】図１、図３、図４、図７〜２９、図３１、図３３〜図３６、および図４２は、本発明の種々の実施形態の斜視図を示す。
【図２８】図１、図３、図４、図７〜２９、図３１、図３３〜図３６、および図４２は、本発明の種々の実施形態の斜視図を示す。
【図２９】図１、図３、図４、図７〜２９、図３１、図３３〜図３６、および図４２は、本発明の種々の実施形態の斜視図を示す。図２９および図４２は、宝石の例示的設置を含む。
【図３０】図５、図３０、および図４１は、本発明の実施形態の斜視断面図を示す。
【図３１】図１、図３、図４、図７〜２９、図３１、図３３〜図３６、および図４２は、本発明の種々の実施形態の斜視図を示す。
【図３２】図３２および図４０は、本発明の指輪実施形態の部分を示す。
【図３３】図１、図３、図４、図７〜２９、図３１、図３３〜図３６、および図４２は、本発明の種々の実施形態の斜視図を示す。図３３および図３４は、本発明の複数の指輪を示す。
【図３４】図１、図３、図４、図７〜２９、図３１、図３３〜図３６、および図４２は、本発明の種々の実施形態の斜視図を示す。図３３および図３４は、本発明の複数の指輪を示す。
【図３５】図１、図３、図４、図７〜２９、図３１、図３３〜図３６、および図４２は、本発明の種々の実施形態の斜視図を示す。図３５は、模造足指を含む。
【図３６】図１、図３、図４、図７〜２９、図３１、図３３〜図３６、および図４２は、本発明の種々の実施形態の斜視図を示す。
【図３７】図３７〜図３９は、本発明の指輪（左）と別の指輪との比較を含む。
【図３８】図３７〜図３９は、本発明の指輪（左）と別の指輪との比較を含む。
【図３９】図３７〜図３９は、本発明の指輪（左）と別の指輪との比較を含む。特に、図３９は、本発明の新規な特徴により提供される空気の流れの例示的図示を含む。
【図４０】図３２および図４０は、本発明の指輪実施形態の部分を示す。図４０は、本発明の指輪の周りおよび中を通る空気の流れの図示をさらに含む。
【図４１】図５、図３０、および図４１は、本発明の実施形態の斜視断面図を示す。
【図４２】図１、図３、図４、図７〜２９、図３１、図３３〜図３６、および図４２は、本発明の種々の実施形態の斜視図を示す。図２９および図４２は、宝石の例示的設置を含む。
【図１】
2008501407.tif 000003
【図２】
2008501407.tif 000004
【図３】
2008501407.tif 000005
【図４】
2008501407.tif 000006
【図５】
2008501407.tif 000007
【図６】
2008501407.tif 000008
【図７】
2008501407.tif 000009
【図８】
2008501407.tif 000010
【図９】
2008501407.tif 000011
【図１０】
2008501407.tif 000012
【図１１】
2008501407.tif 000013
【図１２】
2008501407.tif 000014
【図１３】
2008501407.tif 000015
【図１４】
2008501407.tif 000016
【図１５】
2008501407.tif 000017
【図１６】
2008501407.tif 000018
【図１７】
2008501407.tif 000019
【図１８】
2008501407.tif 000020
【図１９】
2008501407.tif 000021
【図２０】
2008501407.tif 000022
【図２１】
2008501407.tif 000023
【図２２】
2008501407.tif 000024
【図２３】
2008501407.tif 000025
【図２４】
2008501407.tif 000026
【図２５】
2008501407.tif 000027
【図２６】
2008501407.tif 000028
【図２７】
2008501407.tif 000029
【図２８】
2008501407.tif 000030
【図２９】
2008501407.tif 000031
【図３０】
2008501407.tif 000032
【図３１】
2008501407.tif 000033
【図３２】
2008501407.tif 000034
【図３３】
2008501407.tif 000035
【図３４】
2008501407.tif 000036
【図３５】
2008501407.tif 000037
【図３６】
2008501407.tif 000038
【図３７】
2008501407.tif 000039
【図３８】
2008501407.tif 000040
【図３９】
2008501407.tif 000041
【図４０】
2008501407.tif 000042
【図４１】
2008501407.tif 000043
【図４２】
2008501407.tif 000044